(57)【要約】      （修正有）【課題】振動及び加熱により理学療法の効果を向上させ、定磁場及び時間変動電界の導入により、陰陽のバランスを取り、熱磁気で体機能を改善し、体の経絡の疎通、エネルギーの輸送を促進し、核酸の酸化分解、及びプリン体の摂取を低減し、同時に尿酸の排除を増強して尿酸低減を達成し、且つ収納しやすい携帯式高効率経路器具を提供する。【解決手段】携帯式高効率経絡器具は、主に底部ケース１、頂部ケース７、キーモジュール、第一接触子、第二接触子、制御モジュール及び電源アダプター１２を含み、底部ケースの頂端にキーモジュール、第一接触子、第二接触子、制御モジュール及び電源アダプターと係合する凹溝が開設され、底部ケースの頂端に頂部ケースが係着して取り付けられ、頂部ケースの頂端に遠隔操作モジュール、第一接触子、第二接触子、制御モジュール及び電源アダプターと係合する凹溝が開設され、制御モジュールは底部ケースと係着して接続される。【選択図】図１
0003223137.tif 000002
【実用新案登録請求の範囲】
【請求項１】
携帯式高効率経絡器具であって、主に底部ケース（１）、頂部ケース（７）、キーモジュール、第一接触子、第二接触子、制御モジュール及び電源アダプター（１２）を含み、前記底部ケース（１）の頂端にキーモジュール、第一接触子、第二接触子、制御モジュール及び電源アダプター（１２）と係合する凹溝が開設されており、前記底部ケース（１）の頂端に頂部ケース（７）が係着して取り付けられており、前記頂部ケース（７）の頂端に遠隔操作モジュール、第一接触子、第二接触子、制御モジュール及び電源アダプター（１２）と係合する凹溝が開設されており、前記制御モジュールは底部ケース（１）と係着して接続され、前記制御モジュールは主に下ケース（３）、上ケース（１３）、フィルタ（１３）、第二コンセント（１４）、回路基板（１５）、表示灯板（１６）、伸線パネル（１７）、電源コンセント（１８）、変圧器（１９）及びヒューズ（２０）を含み、前記下ケース（３）の内側中央に回路基板（１５）が固定して取り付けられ、回路基板（１５）の頂端前部にフィルタ（１３）が固定して取り付けられ、前記回路基板（１５）の頂端右部に変圧器（１９）が固定して取り付けられ、前記回路基板（１５）の右端に等距離で並べられているヒューズ（２０）が固定して取り付けられ、前記回路基板（１５）の頂端後部に第二コンセント（１４）が固定して取り付けられ、前記下ケース（３）の後端右部に電源コンセント（１８）が固定して取り付けられ、電源コンセント（１８）はヒューズ（２０）と電気的に接続され、前記下ケース（３）の頂端にボルトで上ケース（１１）が固定して取り付けられ、上ケース（１１）の頂端内壁にボルトで表示灯板（１６）が固定して取り付けられ、前記上ケース（１１）の中部に表示灯板（１６）と係合する開口が開設されており、前記第一接触子は底部ケース（１）と係着して接続され、前記第一接触子は第一台座（６）、第一上蓋（２）、モーター（２５）、第一電気ソケット（２６）、永久磁石（２７）及び偏心ラック（２８）を含み、前記第一台座（６）の頂端中部にモーター（２５）が固定して取り付けられ、モーター（２５）のモーターシャフト前端に偏心ラック（２８）が固定して取り付けられ、偏心ラック（２８）の端部に永久磁石（２７）が固定して取り付けられ、前記第一台座（６）の頂端右部に第一電気ソケット（２６）が固定して取り付けられ、第一電気ソケット（２６）の中部に第一導電配線が固定して取り付けられ、前記第一台座（６）の頂端にボルトで第一上蓋（２）が固定して取り付けられ、前記第二接触子は前記底部ケース（１）と係着して接続され、前記第二接触子は主に第二上蓋（４）、第二台座（５）、巻き線コイル（９）及び第二電器ソケット（１０）を含み、前記第二台座（５）の頂端中央に巻き線コイル（９）が固定して取り付けられ、前記第二台座（５）の頂端右部に第二電器ソケット（１０）が固定して取り付けられ、第二電器ソケット（１０）の中部に第二導電配線が固定して取り付けられ、前記第二台座（５）の頂端にボルトで第二上蓋（４）が固定して取り付けられ、前記電源アダプター（１２）は底部ケース（１）と係着され、前記キーモジュールは底部ケース（１）と係着され、前記キーモジュールは主に下筐体（８）、タッチキーボード（２１）、ボタンボード（２２）、絶縁ボード（２３）及びキーケース（２４）を含み、前記下筐体（８）の頂端にタッチキーボード（２１）が固定して取り付けられ、タッチキーボード（２１）の頂端にボタンボード（２２）が嵌着して取り付けられ、ボタンボード（２２）の上部に絶縁ボード（２３）が嵌着して取り付けられ、前記下筐体（８）の頂端にボルトでキーケース（２４）が固定して取り付けられ、前記上ケース（１１）の後側上部の外壁に第一接触子と係合する第一コンセント（２９）が固定して取り付けられ、第一コンセント（２９）はデータ線を介して回路基板（１５）と電気的に接続されることを特徴とする携帯式高効率経絡器具。
【請求項２】
前記第二台座（５）及び第一台座（６）の中部にスパイラルで並べられている開口が開設されていることを特徴とする請求項１に記載の携帯式高効率経絡器具。
【請求項３】
前記上ケース（１１）の頂端外壁に伸線パネル（１７）が固定して取り付けられることを特徴とする請求項１に記載の携帯式高効率経絡器具。
【請求項４】
前記下ケース（３）の後端側壁にコンセント（１４）と係合するスルーホールが開設されていることを特徴とする請求項１に記載の携帯式高効率経絡器具。
【請求項５】
前記第二接触子の数は六個であり、前記第一接触子の数は二個であることを特徴とする請求項１に記載の携帯式高効率経絡器具。
【考案の詳細な説明】
【技術分野】
【０００１】
本実用新案は経絡器具に関し、具体的には携帯式高効率経絡器具である。
【背景技術】
【０００２】
経絡は人体の生気と血液が動く通路であり、臓腑に属し、全身に分布しており、各部の組織、器官を一つの有機的な全体として連結する。経とは、経脈を指し、特に直接に連通している経路であり、経絡系統中の主要道路である。絡は、ネットワークのようであり、経脈の小さなブランチである。経絡は、経脈と絡脈の総称であり、経絡器具は経絡を刺激することによって体を療養するという効能を達成する器具である。
従来の経絡器具は構造が簡単であり、電気的刺激によって経絡を疎通し、一部の体に敏感的な人々に適せず、且つ効能効果が劣る。また従来の経絡器具は携帯しにくく、後続の配置及び収納も不便である。
【考案の概要】
【０００３】
本実用新案の目的は携帯式高効率経絡器具を提供することによって、上記背景技術において提出された問題を提供する。
【０００４】
上記目的を実現するために、本実用新案は下記技術的解決手段を提供する。
【０００５】
携帯式高効率経絡器具であって、主に底部ケース、頂部ケース、キーモジュール、第一接触子、第二接触子、制御モジュール及び電源アダプターを含み、前記底部ケースの頂端にキーモジュール、第一接触子、第二接触子、制御モジュール及び電源アダプターと係合する凹溝が開設されており、前記底部ケースの頂端に頂部ケースが係着して取り付けられており、前記頂部ケースの頂端に遠隔操作モジュール、第一接触子、第二接触子、制御モジュール及び電源アダプターと係合する凹溝が開設されており、前記制御モジュールは底部ケースと係着して接続され、前記制御モジュールは主に下ケース、上ケース、フィルタ、第二コンセント、回路基板、表示灯板、伸線パネル、電源コンセント、変圧器及びヒューズを含み、前記下ケースの内側中央に回路基板が固定して取り付けられ、回路基板の頂端前部にフィルタが固定して取り付けられ、前記回路基板の頂端右部に変圧器が固定して取り付けられ、前記回路基板の右端に等距離で並べられているヒューズが固定して取り付けられ、前記回路基板の頂端後部に第二コンセントが固定して取り付けられ、前記下ケースの後端右部に電源コンセントが固定して取り付けられ、電源コンセントはヒューズと電気的に接続され、前記下ケースの頂端にボルトで上ケースが固定して取り付けられ、上ケースの頂端内壁にボルトで表示灯板が固定して取り付けられ、前記上ケースの中部に表示灯板と係合する開口が開設されており、前記第一接触子は底部ケースと係着して接続され、前記第一接触子は第一台座、第一上蓋、モーター、第一電気ソケット、永久磁石及び偏心ラックを含み、前記第一台座の頂端中部にモーターが固定して取り付けられ、モーターのモーターシャフト前端に偏心ラックが固定して取り付けられ、偏心ラックの端部に永久磁石が固定して取り付けられ、前記第一台座の頂端右部に第一電気ソケットが固定して取り付けられ、第一電気ソケットの中部に第一導電配線が固定して取り付けられ、前記第一台座の頂端にボルトで第一上蓋が固定して取り付けられ、前記第二接触子は前記底部ケースと係着して接続され、前記第二接触子は主に第二上蓋、第二台座、巻き線コイル及び第二電器ソケットを含み、前記第二台座の頂端中央に巻き線コイルが固定して取り付けられ、前記第二台座の頂端右部に第二電器ソケットが固定して取り付けられ、第二電器ソケットの中部に第二導電配線が固定して取り付けられ、前記第二台座の頂端にボルトで第二上蓋が固定して取り付けられ、前記電源アダプターは底部ケースと係着され、前記キーモジュールは底部ケースと係着され、前記キーモジュールは主に下筐体、タッチキーボード、ボタンボード、絶縁ボード及びキーケースを含み、前記下筐体の頂端にタッチキーボードが固定して取り付けられ、タッチキーボードの頂端にボタンボードが嵌着して取り付けられ、ボタンボードの上部に絶縁ボードが嵌着して取り付けられ、前記下筐体の頂端にボルトでキーケースが固定して取り付けられ、前記上ケースの後側上部の外壁に第一接触子と係合する第一コンセントが固定して取り付けられ、第一コンセントはデータ線を介して回路基板と電気的に接続される。
【０００６】
本実用新案の更なる解決手段とし、前記第二台座及び第一台座の中部に前記第二台座及び第一台座の中部にスパイラルで並べられている開口が開設されている。
【０００７】
本実用新案の更なる解決手段とし、前記上ケースの頂端外壁に伸線パネルが固定して取り付けられる。
【０００８】
本実用新案の更なる解決手段とし、前記下ケースの後側壁にコンセントと係合するスルーホールが開設されている。
【０００９】
本実用新案の更なる解決手段とし、前記第二接触子の数は六個であり、前記第一接触子の数は二個である。
【００１０】
従来技術と比べて、本実用新案の有益な効果は以下のとおりである。
【００１１】
本実用新案は構造上では設計が合理的であり、振動及び加熱によって理学療法の効果を向上させ、定磁場及び時間変動電界を導入することによって、陰陽のバランスを取る。熱磁気で体機能を改善し、体の経絡の疎通、エネルギーの輸送を促進し、核酸の酸化分解、及びプリンの摂取を低減し、同時に尿酸の排除を増強することによって、尿酸低減の補助効果を達成し、且つ装置を収納しやすく、後続の利用に役に立つ。
【図面の簡単な説明】
【００１２】
【図１】携帯式高効率経絡器具の構造概略図である。
【図２】携帯式高効率経絡器具における制御モジュールの分解図である。
【図３】携帯式高効率経絡器具における第二接触子の分解図である。
【図４】携帯式高効率経絡器具における第一接触子の分解図である。
【図５】携帯式高効率経絡器具におけるキーモジュールの分解図である。
【図６】携帯式高効率経絡器具におけるキーモジュール、第一接触子、第二接触子、制御モジュール及び電源アダプターの分解図である。
【図７】携帯式高効率経絡器具における制御モジュールの背面図である。
【考案を実施するための形態】
【００１３】
以下は本実用新案の実施例における図面を踏まえて、本実用新案の実施例における技術的解決手段を明確で、完全に説明し、明らかに、説明される実施例は本実用新案の一部の実施例に過ぎず、すべての実施例ではない。本実用新案における実施例に基づき、当業者は創造的な労力なしに得られたすべての他の実施例は、いずれも本実用新案の保護範囲に属する。
【００１４】
本実用新案の説明において、理解すべきことは、術語“中央”、“上”、“下”、“前”、“後”、“左”、“右”、“鉛直”、“水平”、“頂”、“底”“内”、“外”等の指示する方位又は位置関係は図面に示される方位又は位置関係に基づき、本実用新案を便利に説明し、説明を簡略化するためであり、示される装置又は部品が特定の方位、特定の方位構造及び操作を指示するか又は暗示することではなく、従って、本実用新案への限定であることを理解してはいけない。
【００１５】
本実用新案の説明において、説明する必要があるのは、明確な規定と限定がない限り、術語“取り付け”、“接続”、“設置”は広義理解とするべきであり、例えば、固定的な接続、設置であってもよく、解体可能な接続、設置，又は一体的な接続、設置であってもよい。当業者にとって、具体的な状況に応じて上記術語が本実用新案における具体的な意味理解することができる。
【００１６】
図１〜７に示すように、本実用新案の実施例において、携帯式高効率経絡器具であって、主に底部ケース１、頂部ケース７、キーモジュール、第一接触子、第二接触子、制御モジュール及び電源アダプター１２を含み、前記底部ケース１の頂端にキーモジュール、第一接触子、第二接触子、制御モジュール及び電源アダプター１２と係合する凹溝が開設されており、前記底部ケース１の頂端に頂部ケース７が係着して取り付けられており、前記頂部ケース７の頂端に遠隔操作モジュール、第一接触子、第二接触子、制御モジュール及び電源アダプター１２と係合する凹溝が開設されており、前記制御モジュールは底部ケース１と係着して接続され、前記制御モジュールは主に下ケース３、上ケース１３、フィルタ１３、第二コンセント１４、回路基板１５、表示灯板１６、伸線パネル１７、電源コンセント１８、変圧器１９及びヒューズ２０を含み、前記下ケース３の内側中央に回路基板１５が固定して取り付けられ、回路基板１５の頂端前部にフィルタ１３が固定して取り付けられ、前記回路基板１５の頂端右部に変圧器１９が固定して取り付けられ、前記回路基板１５の右端に等距離で並べられているヒューズ２０が固定して取り付けられ、前記回路基板１５の頂端後部に第二コンセント１４が固定して取り付けられ、前記下ケース３の後端右部に電源コンセント１８が固定して取り付けられ、電源コンセント１８はヒューズ２０と電気的に接続され、前記下ケース３の頂端にボルトで上ケース１１が固定して取り付けられ、上ケース１１の頂端内壁にボルトで表示灯板１６が固定して取り付けられ、前記上ケース１１の中部に表示灯板１６と係合する開口が開設されており、前記第一接触子は底部ケース１と係着して接続され、前記第一接触子は第一台座６、第一上蓋２、モーター２５、第一電気ソケット２６、永久磁石２７及び偏心ラック２８を含み、前記第一台座６の頂端中部にモーター２５が固定して取り付けられ、モーター２５のモーターシャフト前端に偏心ラック２８が固定して取り付けられ、偏心ラック２８の端部に永久磁石２７が固定して取り付けられ、前記第一台座６の頂端右部に第一電気ソケット２６が固定して取り付けられ、第一電気ソケット２６の中部に第一導電配線が固定して取り付けられ、前記第一台座６の頂端にボルトで第一上蓋２が固定して取り付けられ、前記第二接触子は前記底部ケース１と係着して接続され、前記第二接触子は主に第二上蓋４、第二台座５、巻き線コイル９及び第二電器ソケット１０を含み、前記第二台座５の頂端中央に巻き線コイル９が固定して取り付けられ、前記第二台座５の頂端右部に第二電器ソケット１０が固定して取り付けられ、第二電器ソケット１０の中部に第二導電配線が固定して取り付けられ、前記第二台座５の頂端にボルトで第二上蓋４が固定して取り付けられ、前記電源アダプター１２は底部ケース１と係着され、前記キーモジュールは底部ケース１と係着され、前記キーモジュールは主に下筐体８、タッチキーボード２１、ボタンボード２２、絶縁ボード２３及びキーケース２４を含み、前記下筐体８の頂端にタッチキーボード２１が固定して取り付けられ、タッチキーボード２１の頂端にボタンボード２２が嵌着して取り付けられ、ボタンボード２２の上部に絶縁ボード２３が嵌着して取り付けられ、前記下筐体８の頂端にボルトでキーケース２４が固定して取り付けられ、前記上ケース１１の後側上部の外壁に第一接触子と係合する第一コンセント２９が固定して取り付けられ、第一コンセント２９はデータ線を介して回路基板１５と電気的に接続される。
【００１７】
前記第二台座５及び第一台座６の中部に前記第二台座及び第一台座の中部にスパイラルで並べられている開口が開設されている。
【００１８】
前記上ケース１１の頂端外壁に伸線パネル１７が固定して取り付けられる。
【００１９】
前記下ケース３の後端側壁にコンセント１４と係合するスルーホールが開設されている。
【００２０】
前記第二接触子の数は六個であり、前記第一接触子の数は二個である。
【００２１】
本実用新案の動作原理は以下のとおりである。
【００２２】
本実用新案は携帯式高効率経絡器具に関し、制御モジュールにおける電源コンセント１８は電源アダプター１２を介して商用電源２２０Ｖの電源と接続され、第一接触子及び第二接触子を接続線を介して第一コンセント２９及び第二コンセント１４内に差し入れ、電源スイッチをオンにし、表示灯板１６の電源表示灯が点灯し、タイミングデジタルは：００と表示され、ボタンモジュールの時間「＋」キーをタッチし、デジタルチューブは治療時間を表示し、「＋」又は「−」キーをタッチして必要な時間を設定し、一般的に毎回の治療時間を３０分間にし、且つ偏心ラック２８が回転すると振動が発生し、第一接触子の巻き線コイル９は定磁場及び熱量が生成し、第一接触子の振動強度は７級に分けられてモーターの電源電圧を調整することによって回転速度を変えて調整することができ、起動際、表示灯板１６の横方向表示バーの表示灯は１段と表示され、ボタンモジュール上の１に対応する「＋」又は「−」キーを介して振動強度を調整することができ、利用者は自身の適応程度に応じて、振動強度を自由に調整することができる（糖尿病患者を治療する過程に、この項を４段のグリーンにすることが好ましい）。  
【００２３】
体を仰向けに寝て第一接触子を横にして椎間の命門ツボ及び腎ユツボに配置し、配置の際、皮膚についているプローブの平面と肌との間に一層のガーゼを配置し（肌との直接な接触を避ける）装置への侵食を防止し、第二接触子を横にして期門、日月ツボ（膵臓の投影位置）に配置し、第二接触子平面は皮膚につくべきであり、皮膚についているプローブの平面と肌との間に一層のガーゼを配置し（肌との直接な接触を避ける）部品への侵食を防止し、起動の際、加温ステータスが自動的に初期設定され、温度を下げる必要がある際、ボタンモジュールに対応する第二接触子の”−”キーを押すことができる。温度を上げる必要がある際、コントローラに対応するプローブ２の”＋”キーを押すことができ、第二接触子を神ク、気海、関元ツボに配置し、配置の際、皮膚につくべきであり、肌との間に一層のガーゼを配置し（肌との直接な接触を避ける）部品への侵食を防止し、起動の際、加温ステータスが自動的に初期設定され、温度を下げる必要がある際、ボタンモジュールに対応する第二接触子の”−”キーを押すことができる。温度を上げる必要がある際、コントローラに対応するプローブ２の”＋”キーを押すことができ、定磁場及び時間変動電界を導入することによって、陰陽のバランスを取る。熱磁気で体機能を改善し、体の経絡の疎通、エネルギーの輸送を促進し、核酸の酸化分解、及びプリンの摂取を低減し、同時に尿酸の排除を増強することによって、尿酸低減の補助効果を達成し、且つ装置を収納しやすく、後続の利用に役に立つ。
【００２４】
当業者にとって、本実用新案は上記例示的な実施例の詳細に限らず、本実用新案の精神又は基本的な特徴を逸脱しない以上、他の具体的な形式で本実用新案を実現することができる。そのため、どの点から見ても、実施例を例示的なものと見なすべきであり、且つそれは限定するものではなく、本実用新案の範囲は添付の請求項に限定され、上記説明に限定されず、そのため、請求項の同等要件の意味及び範囲内に属するすべての変化を本実用新案に含める。請求項におけるいかなる図面標記を限定に関する請求項と見なすべきではない。
【００２５】
これ以外、理解すべきことに、本明細書は発明を実施するための形態に応じて説明するが、すべての発明を実施するための形態はただ一つの独立した技術的解決手段のみを含むものではなく、明細書のこのような説明方式はただ明確に説明するためであり、当業者は明細書を全体と見なすべきであり、各実施例における技術的解決手段は適切に組み合わせることによって、当業者が理解可能な他の発明を実施するための形態を形成することもできる。
【符号の説明】
【００２６】
１  底部ケース
２  第一上蓋
３  下ケース
４  第二上蓋
５  第二台座
６  第一台座
７  頂部ケース
８  下ケース
９  巻き線コイル
１０  第二電気ソケット
１１上ケース
１２  電源アダプター
１３  フィルタ
１４  第二コンセント
１５  回路基板
１６  表示灯板
１７  伸線パネル
１８  電源コンセント
１９  変圧器
２０  ヒューズ
２１  タッチキーボード
２２  ボタンボード
２３  絶縁ボード
２４  キーケース
２５  モーター
２６  第一電気ソケット
２７  永久磁石
２８  偏心ラック
２９  第一コンセント
【図１】
0003223137.tif 000003
【図２】
0003223137.tif 000004
【図３】
0003223137.tif 000005
【図４】
0003223137.tif 000006
【図５】
0003223137.tif 000007
【図６】
0003223137.tif 000008
【図７】
0003223137.tif 000009